(57)【要約】【課題】意匠性の低下を抑制することができるとともに、ケース本体からカバーを所定の操作で容易に取り外すことができるエレベータ用機器収容ケースを得る。【解決手段】ケース本体４内には、係止部材６が設けられている。ケース本体４の開口部３を塞ぐカバー５の裏面には、変位体１６が設けられている。変位体１６は、開口部３の縁部に位置するケース本体４の部分とカバー５との間の隙間に挿入されるスライダ（操作部）２５と、スライダ２５に設けられたラッチ２６とを有している。ラッチ２６は、フック部３０を有している。変位体１６は、カバー５が開口部３を塞いでいる状態でフック部３０が係止部材６に係止される係止位置と、カバー５が開口部３を塞いでいる状態でフック部３０の係止部材６に対する係止が外れる解除位置との間でカバー５に対して変位可能になっている。【選択図】図２
2011037548.tif 000002
【特許請求の範囲】
【請求項１】
開口部が設けられたケース本体、
上記開口部を塞ぐカバー、
上記ケース本体内に設けられた係止部材、及び
上記開口部の縁部に位置する上記ケース本体の部分と上記カバーとの間の隙間に挿入される操作部と、上記操作部に設けられたフック部とを有し、上記カバーの裏面に設けられ、上記カバーが上記開口部を塞いでいる状態で上記フック部が上記係止部材に係止される係止位置と、上記カバーが上記開口部を塞いでいる状態で上記フック部の上記係止部材に対する係止が外れる解除位置との間で上記カバーに対して変位可能な変位体
を備えていることを特徴とするエレベータ用機器収容ケース。
【請求項２】
上記変位体を上記係止位置へ付勢する付勢体をさらに備えていることを特徴とする請求項１に記載のエレベータ用機器収容ケース。
【請求項３】
上記フック部及び上記係止部材には、上記開口部を塞ぐ方向へ上記カバーが変位されるときに互いに接触する傾斜部がそれぞれ設けられており、
上記変位体は、上記開口部を塞ぐ方向への上記カバーの変位により上記フック部の傾斜部が上記係止部材の傾斜部に案内されながら上記付勢体の付勢力に逆らって上記係止位置から上記解除位置へ変位され、上記開口部を塞ぐ位置に上記カバーが達すると、上記傾斜部同士の接触が外れて上記付勢体の付勢力によって上記解除位置から上記係止位置へ変位されることを特徴とする請求項２に記載のエレベータ用機器収容ケース。
【発明の詳細な説明】
【技術分野】
【０００１】
この発明は、例えば操作ボタンや表示装置等を収容するエレベータ用機器収容ケースに関するものである。
【背景技術】
【０００２】
従来、意匠性の向上を図るために、ケース本体の開口部を塞ぐカバーの裏面に案内片を設けて、ねじ等の部品をカバーの表面に露出させないようにしたエレベータ用機器収容ケースが提案されている。案内片は、ケース本体の開口部を塞ぐ位置にカバーがあるときに、ケース本体内に固定されたピンに押し当てられて弾性変形されるようになっている。カバーは、案内片の弾性復元力によって、ケース本体の開口部を塞ぐ位置に保持される（例えば特許文献１参照）。
【先行技術文献】
【特許文献】
【０００３】
【特許文献１】特開平２−２７６７８２号公報
【発明の概要】
【発明が解決しようとする課題】
【０００４】
しかし、カバーは案内片の弾性復元力のみによってケース本体に保持されるので、カバーを引っ張るだけでケース本体からカバーを容易に取り外すことができる。従って、例えば乗客等がカバーをケース本体から取り外し、ケース本体内の機器に乗客等が触れることによりエレベータが故障するおそれもある。
【０００５】
この発明は、上記のような課題を解決するためになされたものであり、意匠性の低下を抑制することができるとともに、ケース本体からカバーを所定の操作で容易に取り外すことができるエレベータ用機器収容ケースを得ることを目的とする。
【課題を解決するための手段】
【０００６】
この発明に係るエレベータ用機器収容ケースは、開口部が設けられたケース本体、開口部を塞ぐカバー、ケース本体内に設けられた係止部材、及び開口部の縁部に位置するケース本体の部分とカバーとの間の隙間に挿入される操作部と、操作部に設けられたフック部とを有し、カバーの裏面に設けられ、カバーが開口部を塞いでいる状態でフック部が係止部材に係止される係止位置と、カバーが開口部を塞いでいる状態でフック部の係止部材に対する係止が外れる解除位置との間でカバーに対して変位可能な変位体を備えている。
【発明の効果】
【０００７】
この発明に係るエレベータ用機器収容ケースでは、カバーの裏面に設けられた変位体が係止位置と解除位置との間を変位可能になっており、変位体の操作部がカバーとケース本体との間の隙間に挿入されているので、カバーの表面に部品が露出することを防止することができ、意匠性の低下を抑制することができる。また、カバーとケース本体との間の隙間に、カバーを取り外すための道具を挿入することにより、カバーの外側から変位体を係止位置から解除位置へ変位させることができる。これにより、道具を使った所定の操作によりカバーをケース本体から容易に取り外すことができる。従って、例えば乗客のいたずら等によって、カバーがケース本体から取り外されることの防止を図ることができる。
【図面の簡単な説明】
【０００８】
【図１】この発明の実施の形態１によるエレベータ用機器収容ケースを示す正面図である。
【図２】図１のII-II線に沿った断面図である。
【図３】図２のケース本体の内側から見たときのカバーを示す裏面図である。
【図４】図２のケース本体を示す正面図である。
【図５】図４の係止部材を示す平面図である。
【図６】図５の係止部材を示す側面図である。
【図７】図３のカバーの下端部の裏面を示す正面図である。
【図８】図７のカバーの下端部を示す側面図である。
【図９】図３のベースを示す正面図である。
【図１０】図９のベースを示す側面図である。
【図１１】図３のスライダを示す正面図である。
【図１２】図１１のスライダを示す側面図である。
【図１３】図３のラッチを示す正面図である。
【図１４】図１３のラッチを示す側面図である。
【図１５】図３のXV-XV線に沿った断面図である。
【図１６】図３のXVI-XVI線に沿った断面図である。
【図１７】図３の変位体が解除位置に変位されている状態を示す正面図である。
【図１８】図１７のXVIII-XVIII線に沿った断面図である。
【図１９】図１７のXIX-XIX線に沿った断面図である。
【図２０】図１７のXX-XX線に沿った断面図である。
【発明を実施するための形態】
【０００９】
実施の形態１．
図１は、この発明の実施の形態１によるエレベータ用機器収容ケースを示す正面図である。また、図２は、図１のII-II線に沿った断面図である。さらに、図３は、図２のケース本体の内側から見たときのカバーを示す裏面図である。図において、エレベータの乗場の建築壁１には、乗場ボタン収容ケース（エレベータ用機器収容ケース）２が設置されている。乗場ボタン収容ケース２は、開口部３が設けられたケース本体４と、開口部３を塞ぐカバー５と、ケース本体４内に固定された一対の係止部材６と、カバー５の裏面に設けられ、各係止部材６に個別に係止される一対の係止装置７とを有している。
【００１０】
ケース本体４は、図２に示すように、開口部３を建築壁１の壁面から露出させて建築壁１に埋設されている。また、ケース本体４は、底面部４ａ、上面部４ｂ、一対の側面部４ｃ及び背面部４ｄとを有している。開口部３は、底面部４ａ、上面部４ｂ及び各側面部４ｃに囲まれている。背面部４ｄは、開口部３に対向している。ケース本体４は、背面部４ｄが建築壁１の壁面と平行になるように建築壁１に埋設されている。なお、この例では、開口部３の形状が長方形となっている。
【００１１】
カバー５は、開口部３よりも大きな板状部材とされている。カバー５には、上方向ボタン８及び下方向ボタン９（一対の乗場ボタン８，９）が互いに間隔を置いて取り付けられている。上方向ボタン８及び下方向ボタン９は、カバー５の裏面に取り付けられており、カバー５に設けられた貫通穴を通してカバー５の表面側にそれぞれ露出されている。これにより、上方向ボタン８及び下方向ボタン９は、乗場から操作可能になっている。なお、この例では、カバー５の形状が長方形となっている。また、この例では、カバー５の長辺方向に沿った中心線上に上方向ボタン８及び下方向ボタン９がそれぞれ配置されている。
【００１２】
カバー５の長辺方向一端部（下端部）及び長辺方向他端部（上端部）のそれぞれの裏面には、所定の長さを持つ溝１０がカバー５の長辺方向に沿って設けられている。各溝１０はカバー５の外縁に達している。これにより、各溝１０の一端部は開放され、各溝１０の他端部は閉じている。従って、カバー５が開口部３を塞いでいる状態では、底面部４ａ及び上面部４ｂのそれぞれとカバー５との間に溝１０によって隙間が生じている。即ち、開口部３を塞ぐ位置にカバー５があるときには、開口部３の縁部に位置するケース本体４の部分とカバー５との間に溝１０によって隙間が生じている。
【００１３】
ここで、図４は、図２のケース本体４を示す正面図である。また、図５は図４の係止部材６を示す平面図、図６は図５の係止部材６を示す側面図である。一方の係止部材６は底面部４ａに固定され、他方の係止部材６は上面部４ｂに固定されている。各係止部材６は、ケース本体４の内面に沿って配置される板状の係止部材本体部１１と、係止部材本体部１１の端部から鋭角に突出する鉤部１２とを有している。係止部材本体部１１には、ケース本体４の奥行き方向（背面部４ｄに垂直な方向）に沿った長穴１３が設けられている。
【００１４】
底面部４ａ及び上面部４ｂには、スタンドねじ１４がそれぞれ固定されている。各係止部材６は、長穴１３に通されたスタンドねじ１４にナット１５が締め付けられることにより、ケース本体４に固定されている。各係止部材６のケース本体４に対する位置は、スタンドねじ１４に対する長穴１３の位置の調整により、ケース本体４の奥行き方向について個別に調整可能になっている。
【００１５】
一方の係止装置７はカバー５の下端部の裏面に設けられ、他方の係止装置７はカバー５の上端部の裏面に設けられている。即ち、各係止装置７は、各溝１０の位置に合わせてカバー５の上端部及び下端部に設けられている。
【００１６】
各係止装置７は、図３に示すように、所定の係止位置と係止位置よりもカバー５の内側に位置する解除位置との間でカバー５に対して変位可能な変位体１６と、カバー５に取り付けられ、変位体１６を支持するベース１７と、変位体１６を係止位置へ付勢する付勢ばね（付勢体）１８とを有している。
【００１７】
ベース１７は、溝１０を覆う位置に配置されている。従って、ベース１７とカバー５との間には、溝１０によって隙間が生じている。また、ベース１７は、ベース１７の長さ方向をカバー５の短辺方向に一致させてカバー５に取り付けられている（図３）。
【００１８】
ここで、図７は図３のカバー５の下端部の裏面を示す正面図、図８は図７のカバー５の下端部を示す側面図である。カバー５の下端部及び上端部のそれぞれの裏面には、ベース１７をカバー５に取り付けるための一対のスタンドねじ１９が固定されている。各スタンドねじ１９は、カバー５の短辺方向について溝１０を挟む位置に配置されている。
【００１９】
図９は図３のベース１７を示す正面図、図１０は図９のベース１７を示す側面図である。ベース１７には、ベース１７の長さ方向について互いに離して配置された一対のねじ通し穴２０と、各ねじ通し穴２０間に位置し、溝１０に沿ってそれぞれ配置された一対のガイド２１と、各ガイド２１間に位置し、溝１０に沿ってそれぞれ配置された一対の長穴２２と、ベース１７の中心線上に配置され、付勢ばね１８の一端部が掛けられるベース側ばね止め部２３とが設けられている。
【００２０】
各ねじ通し穴２０の内径は、スタンドねじ１９の外径よりも大きくされている。ベース１７は、図３に示すように、ねじ通し穴２０に通されたスタンドねじ１９にナット２４が締め付けられることにより、カバー５の裏面に取り付けられている。
【００２１】
各ガイド２１は、図１０に示すように、ベース１７の長さ方向に沿ってベース１７を見たときにベース１７に平行な平行部２１ａと、ベース１７から突出し、平行部２１ａの端部に繋がっている支持部２１ｂとを有している。各ガイド２１は、ベース１７に切り込みを設けてベース１７の一部を曲げることにより形成されている。
【００２２】
各長穴２２は、ベース１７がカバー５に取り付けられている状態で溝１０に対向している。各長穴２２の長さは、変位体１６が変位される距離とほぼ同じになるように設定されている。
【００２３】
ベース側ばね止め部２３は、図２に示すように、溝１０から離れる方向へベース１７の縁部から突出している。ベース側ばね止め部２３の先端部は、付勢ばね１８がベース側ばね止め部２３から外れないようにするために曲げて傾斜された外れ防止部とされている。
【００２４】
変位体１６は、図２及び図３に示すように、溝１０内に配置された板状のスライダ２５と、スライダ２５に設けられたラッチ２６とを有している。また、変位体１６は、カバー５の長辺方向へ溝１０に案内されることにより、係止位置と解除位置との間を変位される。さらに、変位体１６は、カバー５から突出しない範囲（即ち、スライダ２５の全体が溝１０内に収まる範囲）でカバー５に対して変位される。
【００２５】
スライダ２５の厚さは、溝１０の深さよりも小さくされている。カバー５が開口部３を塞いでいる状態では、底面部４ａとカバー５との間に生じた隙間に一方のスライダ２５が挿入され、上面部４ｂとカバー５との間に生じた隙間に他方のスライダ２５が挿入されている。従って、カバー５が開口部３を塞いでいる状態では、ケース本体４とカバー５との間に生じた隙間を通してスライダ２５の端部が外部に露出されている。
【００２６】
ここで、図１１は図３のスライダ２５を示す正面図、図１２は図１１のスライダ２５を示す側面図である。スライダ２５には、各長穴２２に挿入された一対の突起２７が設けられている。変位体１６が係止位置と解除位置との間を変位されるときには、突起２７が長穴２２内を長穴２２に沿った方向へ変位される。各突起２７には、突起２７の高さ方向に沿ったねじ穴２８が設けられている。
【００２７】
図１３は図３のラッチ２６を示す正面図、図１４は図１３のラッチ２６を示す側面図である。また、図１５は図３のXV-XV線に沿った断面図、図１６は図３のXVI-XVI線に沿った断面図である。ラッチ２６は、板状のラッチベース部２９と、ラッチベース部２９の両端部から突出する一対のフック部３０とを有している。
【００２８】
ラッチベース部２９には、各突起２７の位置に合わせて配置された一対のねじ通し穴３１と、ラッチベース部２９の中心線上に配置され、付勢ばね１８の他端部が掛けられるラッチ側ばね止め部３２とが設けられている。ラッチ２６は、ねじ通し穴３１に通された取付ねじ３３が突起２７のねじ穴２８に螺合されることにより、各突起２７に固定されている（図１５）。
【００２９】
ラッチベース部２９は、図１６に示すように、各平行部２１ａとベース１７との間に挿入されている。また、ラッチベース部２９は、各平行部２１ａとベース１７との間をベース１７に沿って変位可能になっている。
【００３０】
各突起２７の高さの寸法は、図１５に示すように、ベース１７の厚さの寸法よりも大きくされている。従って、スライダ２５とラッチ２６との間の隙間の寸法は、ベース１７の厚さの寸法よりも大きくなっている。変位体１６は、ベース１７がスライダ２５とラッチ２６との間の隙間に通された状態で、ベース１７に対して変位される。
【００３１】
ラッチ側ばね止め部３２は、カバー５から離れる方向へラッチベース部２９の縁部から突出している。ラッチ側ばね止め部３２の先端部は、付勢ばね１８がラッチ側ばね止め部３２から外れないようにするために曲げて傾斜された外れ防止部とされている。
【００３２】
各フック部３０は、カバー５から離れる方向へラッチベース部２９から突出している。カバー５が開口部３を塞いでいる状態では、変位体１６が係止位置に達することによりフック部３０が鉤部１２に係止され、変位体１６が解除位置に達することによりフック部３０の鉤部１２に対する係止が外れる。フック部３０が鉤部１２に係止されている状態では、ケース本体４から外れる方向への力をカバー５が受けても、カバー５がケース本体４から外れることが防止される。
【００３３】
付勢ばね１８は、ベース側ばね止め部２３及びラッチ側ばね止め部３２が互いに近づく方向へラッチ２６をベース１７に対して付勢している。従って、変位体１６は、係止位置に変位される方向へ付勢ばね１８により付勢されている。各支持部２１ｂがラッチベース部２９を受けることにより、変位体１６が係止位置を行き過ぎることが防止される。
【００３４】
鉤部１２には傾斜部１２ａが設けられ、フック部３０には傾斜部３０ａが設けられている。傾斜部１２ａ及び傾斜部３０ａは、ケース本体４の奥行き方向に対して傾斜されている。ケース本体４から外れている状態から開口部３を塞ぐ方向へカバー５が変位されるときには、傾斜部１２ａ及び傾斜部３０ａが互いに接触する。
【００３５】
開口部３を塞ぐ方向へカバー５が変位されるときには、傾斜部３０ａが傾斜部１２ａに案内されながら、付勢ばね１８の付勢力に逆らって、変位体１６が係止位置から解除位置へ変位される。また、開口部３を塞ぐ位置にカバー５が達すると、傾斜部３０ａ及び傾斜部１２ａ同士の接触が外れて付勢ばね１８の付勢力によって、変位体１６が解除位置から係止位置へ変位される。これにより、フック部３０が鉤部１２に係止される。
【００３６】
図１７は、図３の変位体１６が解除位置に変位されている状態を示す正面図である。また、図１８は図１７のXVIII-XVIII線に沿った断面図、図１９は図１７のXIX-XIX線に沿った断面図、図２０は図１７のXX-XX線に沿った断面図である。
【００３７】
開口部３を塞いでいるカバー５がケース本体４から取り外されるときには、カバー取り外し具３４が用いられる。カバー取り外し具３４は、持ち手部３４ａと、持ち手部３４ａの端部から直角に突出する板状の差し込み部３４ｂとを有している。持ち手部３４ａ及び差し込み部３４ｂは、一定の幅寸法を持つ板を直角に曲げることにより形成されている。
【００３８】
差し込み部３４ｂの幅寸法は、溝１０の幅寸法よりも小さくされている。また、差し込み部３４ｂの厚さ寸法は、溝１０の深さ寸法よりも小さくされている。即ち、差し込み部３４ｂは、カバー５とケース本体４との間に溝１０によって生じた隙間に挿入可能になっている。
【００３９】
カバー５とケース本体４との間の隙間から差し込み部３４ｂが挿入されると、スライダ２５が付勢ばね１８の付勢力に逆らって差し込み部３４ｂに押されながら溝１０に沿って変位される。これにより、変位体１６が係止位置から解除位置へ変位され、鉤部１２に対するフック部３０の係止が外れる。これにより、カバー５がケース本体４から取り外される。
【００４０】
次に、カバー５をケース本体４に取り付けるときの手順について説明する。まず、上下の各鉤部１２の傾斜部１２ａに各フック部３０の傾斜部３０ａが接触するようにカバー５を配置する。この後、カバー５をケース本体４に向けて押し込む。これにより、変位体１６は、鉤部１２の傾斜部１２ａに案内されながら、付勢ばね１８の付勢力に逆らって、係止位置から解除位置に向かって変位される。
【００４１】
開口部３を塞ぐ位置にカバー５が達すると、傾斜部１２ａ，３０ａ同士の接触が外れて、図２に示すように、変位体１６が付勢ばね１８の付勢力により解除位置から係止位置へ変位される。これにより、フック部３０が鉤部１２に係止され、ケース本体４に対するカバー５の取り付けが完了する。
【００４２】
次に、カバー５をケース本体４から取り外すときの手順について説明する。まず、カバー５の裏面から露出しているスライダ２５の端部に差し込み部３４ｂを当てる。この後、スライダ２５に差し込み部３４ｂを当てながら、カバー５とケース本体４との間の隙間に差し込み部３４ｂを押し込む。
【００４３】
スライダ２５が差し込み部３４ｂにより押し込まれると、変位体１６は、図１７及び図１８に示すように、付勢ばね１８の付勢力に逆らって係止位置から解除位置へ変位される。これにより、鉤部１２に対するフック部３０の係止が外れる。この後、カバー５をケース本体４から離れる方向へ引くことにより、ケース本体４に対するカバー５の取り外しが完了する。
【００４４】
このような乗場ボタン収容ケースでは、カバー５の裏面に設けられた変位体１６が係止位置と解除位置との間を変位可能になっており、変位体１６のスライダ２５がカバー５とケース本体４との間の隙間に挿入されているので、カバー５の表面に部品が露出することを防止することができ、意匠性の低下を抑制することができる。また、カバー５とケース本体４との間の隙間に差し込み部３４ｂを挿入することにより、カバー５の外側から変位体１６を係止位置から解除位置へ変位させることができる。これにより、カバー取り外し具３４を使った所定の操作によりカバー５をケース本体４から容易に取り外すことができる。従って、例えば乗客のいたずら等によって、カバー５がケース本体４から取り外されることの防止を図ることができる。
【００４５】
また、変位体１６は、付勢ばね１８によって係止位置へ付勢されているので、カバー５の振動等によってフック部３０が鉤部１２から誤って外れることを防止することができる。
【００４６】
また、フック部３０及び鉤部１２には、開口部３を塞ぐ方向へカバー５が変位されるときに互いに接触する傾斜部３０ａ，１２ａが設けられ、開口部３を塞ぐ方向へのカバー５の変位により鉤部１２の傾斜部１２ａに案内されながら変位体１６がカバー５に対して変位されるので、開口部３をカバー５で塞ぐときに、カバー５を押すだけでフック部３０を鉤部１２に自動的に係止させることができる。従って、ケース本体４に対するカバー５の取り付けを容易にすることができる。
【００４７】
なお、上記の例では、フック部３０及び鉤部１２のいずれにも傾斜部が設けられているが、カバー５の変位によって鉤部１２がフック部３０を案内することができるのであれば、フック部３０及び鉤部１２のいずれか一方のみに傾斜部を設けてもよい。
【符号の説明】
【００４８】
３  開口部、４  ケース本体、５  カバー、６  係止部材、１２ａ  傾斜部、１６  変位体、１８  付勢ばね（付勢体）、２５  スライダ（操作部）、３０  フック部、３０ａ  傾斜部。
【図１】
2011037548.tif 000003
【図２】
2011037548.tif 000004
【図３】
2011037548.tif 000005
【図４】
2011037548.tif 000006
【図５】
2011037548.tif 000007
【図６】
2011037548.tif 000008
【図７】
2011037548.tif 000009
【図８】
2011037548.tif 000010
【図９】
2011037548.tif 000011
【図１０】
2011037548.tif 000012
【図１１】
2011037548.tif 000013
【図１２】
2011037548.tif 000014
【図１３】
2011037548.tif 000015
【図１４】
2011037548.tif 000016
【図１５】
2011037548.tif 000017
【図１６】
2011037548.tif 000018
【図１７】
2011037548.tif 000019
【図１８】
2011037548.tif 000020
【図１９】
2011037548.tif 000021
【図２０】
2011037548.tif 000022